(57)【要約】【課題】印刷画像を観察環境において好ましく見えるように補正する。【解決手段】ターゲット環境光の下での印刷画像の色が観察環境光の下で再現されるようにその印刷画像を表す画像データを補正する環境光補正を行うため、ターゲットの環境光情報及び観察環境の環境光情報を取得する（Ｓ１０１）。そして、その環境光情報に基づき、ターゲット環境光の色温度に対する観察環境光の色温度が高いほど印刷画像が明るくなり、ターゲット環境光の色温度に対する観察環境光の色温度が低いほど印刷画像が暗くなるように画像データを補正する（Ｓ１０５）。このため、クルーゾフ効果に従った適切な明るさに補正することができる。【選択図】図３
2010178149.tif 000002
【特許請求の範囲】
【請求項１】
基準環境光の下での印刷画像の色が観察環境光の下で再現されるようにその印刷画像を表す画像データを補正する画像処理装置であって、
前記基準環境光の色温度に対する前記観察環境光の色温度の度合いを判断可能な情報である環境光情報を入力する入力手段と、
前記環境光情報に基づき、前記基準環境光の色温度に対する前記観察環境光の色温度が高いほど印刷画像が明るくなり、前記基準環境光の色温度に対する前記観察環境光の色温度が低いほど印刷画像が暗くなるように、前記画像データを補正する補正手段と、
を備えることを特徴とする画像処理装置。
【請求項２】
前記入力手段は、前記基準環境光の色温度及び前記観察環境光の色温度を前記環境光情報として入力すること
を特徴とする請求項１に記載の画像処理装置。
【請求項３】
前記補正手段は、前記基準環境光の色温度に適した照度と前記観察環境光の色温度に適した照度との比に応じて印刷画像の明るさを変化させること
を特徴とする請求項１又は請求項２に記載の画像処理装置。
【請求項４】
基準環境光の下での印刷画像の色が観察環境光の下で再現されるようにその印刷画像を表す画像データを補正する画像処理装置としてコンピュータを機能させるための画像処理プログラムであって、
前記基準環境光の色温度に対する前記観察環境光の色温度の度合いを判断可能な情報である環境光情報を入力する入力手段と、
前記環境光情報に基づき、前記基準環境光の色温度に対する前記観察環境光の色温度が高いほど印刷画像が明るくなり、前記基準環境光の色温度に対する前記観察環境光の色温度が低いほど印刷画像が暗くなるように、前記画像データを補正する補正手段
としてコンピュータを機能させることを特徴とする画像処理プログラム。
【請求項５】
基準環境光の下での印刷画像の色が観察環境光の下で再現されるようにその印刷画像を表す画像データを補正する画像処理方法であって、
前記基準環境光の色温度に対する前記観察環境光の色温度の度合いを判断可能な情報である環境光情報を入力する入力ステップと、
前記環境光情報に基づき、前記基準環境光の色温度に対する前記観察環境光の色温度が高いほど印刷画像が明るくなり、前記基準環境光の色温度に対する前記観察環境光の色温度が低いほど印刷画像が暗くなるように、前記画像データを補正する補正ステップと、
を含むことを特徴とする画像処理方法。
【発明の詳細な説明】
【技術分野】
【０００１】
本発明は、基準環境光の下での印刷画像の色が観察環境光の下で再現されるようにその印刷画像を表す画像データを補正するための画像処理装置、画像処理プログラム及び画像処理方法に関するものである。
【背景技術】
【０００２】
従来、環境光（照明光や自然光）の違いが人間に与える影響について種々検討されており、例えばクルーゾフ効果が知られている。クルーゾフ効果とは、環境光が人間に与える心理効果であり、図６に示すように、色温度の低い光は照度が高いと不快に感じ、照度が低いと快適に感じるが、その一方で、色温度の高い光は照度が低いと不快に感じ、照度が高いと快適に感じるというように、環境光の色温度に応じて快適に感じる照度の範囲が異なるというものである。
【０００３】
特許文献１には、クルーゾフ効果を考慮した照明器具が示されている。この照明器具は、色温度の高い青色ＬＥＤと色温度の低い黄色ＬＥＤとの組合せにより昼光色、昼白色、白色、温白色、電球色といった複数の白色を発光可能としたものであり、黄色ＬＥＤを光量一定として青色ＬＥＤの光量を変化させることで、青色ＬＥＤの光の増加（色温度の上昇）に伴い光量が増加する。
【先行技術文献】
【特許文献】
【０００４】
【特許文献１】特開２００７−２６５８１８号公報
【発明の概要】
【発明が解決しようとする課題】
【０００５】
ところで、観察する環境光が異なると、同じものであっても異なる色として知覚されることも知られており、印刷分野においては、観察する環境光の違いによって生じる印刷画像の色の見え方の違いを、画像データの補正により解消することが検討されている。
【０００６】
しかしながら、このように異なる環境光においても同じ色に見えるようにすること、つまり色の再現性については検討されているものの、印刷画像を観察環境において好ましく見えるように補正することについては検討されていなかった。
【０００７】
本発明は、こうした問題にかんがみてなされたものであり、印刷画像を観察環境において好ましく見えるように補正することのできる画像処理装置、画像処理プログラム及び画像処理方法を提供することを目的としている。
【課題を解決するための手段】
【０００８】
上記目的を達成するためになされた本発明の請求項１に記載の画像処理装置は、基準環境光の下での印刷画像の色が観察環境光の下で再現されるようにその印刷画像を表す画像データを補正するものである。そして、この画像処理装置は、基準環境光の色温度に対する観察環境光の色温度の度合いを判断可能な情報である環境光情報を入力する入力手段と、その環境光情報に基づき、基準環境光の色温度に対する観察環境光の色温度が高いほど印刷画像が明るくなり、基準環境光の色温度に対する観察環境光の色温度が低いほど印刷画像が暗くなるように、画像データを補正する補正手段とを備える。
【０００９】
このような画像処理装置によれば、観察する環境光の違いによって生じる印刷画像の色の見え方の違いを単に補正するだけでなく、クルーゾフ効果に基づく好ましい明るさに補正することができる。すなわち、印刷画像を明るくすると、印刷画像の反射光の光量が増加することで、印刷画像を観察する環境光の照度を高くした場合と同様の状態になり、逆に、印刷画像を暗くすると、印刷画像の反射光の光量が減少することで、印刷画像を観察する環境光の照度を低くした場合と同様の状態になる。このため、観察環境光の色温度が高いほど印刷画像を明るくし、観察環境光の色温度が低いほど印刷画像を暗くすることで、印刷画像をクルーゾフ効果に基づき好ましく見せることができる。
【００１０】
ところで、入力手段により入力される環境光情報は、基準環境光の色温度に対する観察環境光の色温度の度合いを判断可能な情報であればよいが、具体的には例えば請求項２に記載のように、基準環境光の色温度及び観察環境光の色温度が環境光情報として入力されるようにするとよい。このようにすれば、使用目的や使用状況などに応じて適切な環境光情報を入力することができる。
【００１１】
一方、補正手段による画像データの補正は、具体的には例えば請求項３に記載のように、基準環境光の色温度に適した照度と観察環境光の色温度に適した照度との比に応じて印刷画像の明るさを変化させることにより行うことができる。このような画像処理装置によれば、クルーゾフ効果に従った適切な明るさに補正することができる。
【００１２】
なお、請求項４に記載の画像処理プログラムによれば、請求項１に記載の画像処理装置としてコンピュータを機能させることができ、これにより前述した効果を得ることができる。
【００１３】
また、請求項５に記載の画像処理方法によれば、請求項１に記載の画像処理装置と同様の効果を得ることができる。
【図面の簡単な説明】
【００１４】
【図１】実施形態の通信システムの概略構成を表すブロック図である。
【図２】プリンタドライバのダイアログボックスの説明図である。
【図３】画像印刷処理のフローチャートである。
【図４】明度補正処理のフローチャートである。
【図５】ｘｙ色度図上におけるターゲット環境光及び観察環境光の位置関係を示す説明図である。
【図６】クルーゾフ効果の説明図である。
【発明を実施するための形態】
【００１５】
以下、本発明が適用された実施形態について、図面を用いて説明する。
【００１６】
［１．全体構成］
図１は、パーソナルコンピュータ（ＰＣ）１と複合機２とがデータ通信可能に構成された通信システムの概略構成を表すブロック図である。
【００１７】
パーソナルコンピュータ１は、汎用の情報処理装置であり、制御部１１、記憶部１２、通信部１３、操作部１４及び表示部１５を備えている。
【００１８】
制御部１１は、パーソナルコンピュータ１の各部を統括制御するものであり、ＣＰＵ１１１、ＲＯＭ１１２及びＲＡＭ１１３を備えている。
【００１９】
記憶部１２は、記憶データを書き換え可能な不揮発性の記憶装置であり、本実施形態ではハードディスク装置が用いられている。そして、記憶部１２には、オペレーティングシステム（ＯＳ）１２１、画像閲覧ソフト等のアプリケーションを実行するためのアプリケーションプログラム１２２、パーソナルコンピュータ１から複合機２を利用可能とするためのソフトウェア（プログラム）であるプリンタドライバ１２３などがインストールされている。
【００２０】
通信部１３は、複合機２との間でデータ通信を行うためのインタフェースである。
【００２１】
操作部１４は、ユーザからの外部操作による指令を入力するための入力装置であり、本実施形態ではキーボードやポインティングデバイス（マウスやタッチパッド等）が用いられている。
【００２２】
表示部１５は、各種情報をユーザが視認可能な画像として表示するための出力装置であり、本実施形態では液晶ディスプレイが用いられている。
【００２３】
一方、複合機２は、プリンタ機能に加え、スキャナ機能やカラーコピー機能等を有する印刷装置であり、制御部２１、記憶部２２、通信部２３、操作部２４、表示部２５、読取部２６及び印刷部２７を備えている。
【００２４】
制御部２１は、複合機２の各部を統括制御するものであり、ＣＰＵ２１１、ＲＯＭ２１２及びＲＡＭ２１３を備えている。
【００２５】
記憶部２２は、記憶データを書き換え可能な不揮発性の記憶装置であり、本実施形態ではフラッシュメモリが用いられている。そして、記憶部２２には、後述する処理（図３、図４）をＣＰＵ２１１に実行させるためのプログラムが記憶されている。
【００２６】
通信部２３は、パーソナルコンピュータ１との間でデータ通信を行うためのインタフェースである。
【００２７】
操作部２４は、ユーザからの外部操作による指令を入力するための入力装置であり、各種操作ボタンを備えている。
【００２８】
表示部２５は、各種情報をユーザが視認可能な画像として表示するための出力装置であり、小型の液晶ディスプレイが用いられている。
【００２９】
読取部２６は、所定の原稿読取位置にセットされた原稿から画像を読み取り、この画像を表す画像データ（具体的にはＲＧＢ表色系で表現された画像データ）を生成するものである。
【００３０】
印刷部２７は、シアン（Ｃ）、マゼンタ（Ｍ）、イエロー（Ｙ）及びブラック（Ｋ）の各色インクを印刷媒体としての用紙に吐出することでカラー画像を印刷するものである。
【００３１】
［２．通信システムで実行される処理の概要］
次に、本実施形態の通信システムで実行される処理の概要について説明する。
【００３２】
パーソナルコンピュータ１では、実行中のアプリケーションにおいて印刷操作が行われることによりプリンタドライバ１２３が起動し、印刷条件を設定するためのダイアログボックスが表示部１５に表示される。このダイアログボックスにおいて印刷条件の設定が行われると、パーソナルコンピュータ１（プリンタドライバ１２３）から複合機２に対して印刷指示が行われるとともに、印刷対象の画像を表す画像データ（具体的にはＲＧＢ表色系で表現された画像データ）が複合機２へ送信される。複合機２では、パーソナルコンピュータ１から印刷指示とともに受信した画像データ（ＲＧＢデータ）を、インクの色に対応したＣＭＹＫ表色系の画像データに変換する色変換処理を行い、変換後の画像データ（ＣＭＹＫデータ）に基づき画像を印刷する。
【００３３】
ここで、本実施形態の複合機２は、基準となる環境光（ターゲット環境光）及び印刷物を観察する環境光（観察環境光）をユーザに設定させることにより、ターゲット環境光の下での印刷画像の色が観察環境光の下で再現されるように画像データを補正する環境光補正を行った上で、画像を印刷する。
【００３４】
具体的には、図２に示すように、プリンタドライバ１２３のダイアログボックスにおいて、ターゲット環境光（ターゲット照明）及び観察環境光（観察照明）の各情報をユーザが設定できるようにする。この例では、ターゲット照明及び観察照明のそれぞれについて、「色温度」による設定方法及び「ＸＹＺ値」による設定方法のうちいずれか一方をラジオボタン３１，４１で選択するようになっている。そして、「色温度」による設定方法を選択した場合には、照明の色温度をプルダウンボックス３２，４２から選択し、「ＸＹＺ値」による設定方法を選択した場合には、ＸＹＺ値の具体的な数値を数値入力ボックス３３，４３に入力する。
【００３５】
こうして設定されたターゲット照明及び観察照明の情報は、パーソナルコンピュータ１（プリンタドライバ１２３）から複合機２へターゲットの環境光情報（Ｘｔ，Ｙｔ，Ｚｔ）及び観察環境の環境光情報（Ｘｏ，Ｙｏ，Ｚｏ）として印刷指示とともに送信される。ここで、プルダウンボックス３２，４２から選択可能な色温度については、その色温度に対応するＸＹＺ値があらかじめ記憶されており、そのＸＹＺ値が複合機２へ送信される。つまり、いずれの設定方法が選択されても、ターゲット環境光の色及び観察環境光の色を表すＸＹＺ値が送信されるようになっている。なお、ＸＹＺ値は、０〜１００の範囲の値を０〜１の範囲の値に正規化して用いられる。
【００３６】
このようにターゲット環境光及び観察環境光をユーザに設定させて環境光補正を行うことにより、観察する環境光の違いによって生じる印刷画像の色の見え方の違いが緩和されることになる。
【００３７】
そして特に、本実施形態の複合機２は、印刷画像を観察環境において好ましく見えるようにするため、観察環境光の色温度に応じて印刷画像の明るさを調整することを特徴としている。すなわち、前述したように、色温度の低い光は照度が高いと不快に感じ、照度が低いと快適に感じるが、その一方で、色温度の高い光は照度が低いと不快に感じ、照度が高いと快適に感じるというクルーゾフ効果が知られている。そこで、本実施形態の複合機２では、ターゲット環境光の色温度に対する観察環境光の色温度が高いほど印刷画像が明るくなり、ターゲット環境光の色温度に対する観察環境光の色温度が低いほど印刷画像が暗くなるように、画像データを補正する。
【００３８】
［３．複合機が実行する処理］
次に、複合機２で実行される具体的な処理手順について説明する。
【００３９】
図３は、パーソナルコンピュータ１から印刷指示を受けることにより複合機２の制御部２１（具体的にはＣＰＵ２１１）が実行する画像印刷処理のフローチャートである。
【００４０】
制御部２１は、この画像印刷処理を開始すると、まずＳ１０１で、ターゲットの環境光情報（Ｘｔ，Ｙｔ，Ｚｔ）及び観察環境の環境光情報（Ｘｏ，Ｙｏ，Ｚｏ）を取得する。なお、これらの情報は、前述したように、パーソナルコンピュータ１でユーザにより設定される。
【００４１】
続いて、Ｓ１０２では、パーソナルコンピュータ１から受信した画像データ（ＲＧＢデータ）の表す画像を構成する画素であって、後述するＳ１０３〜Ｓ１１０の処理を行っていないもののうちの１つを処理対象画素として特定し、その画素データ（Ｒｉ，Ｇｉ，Ｂｉ）を読み込む。
【００４２】
続いて、Ｓ１０３では、処理対象画素の画素データを、入力デバイスプロファイル（パーソナルコンピュータ１の表示部１５のデバイスプロファイル）を使用してＲＧＢ値からデバイスに依存しない色空間の値（本実施形態ではＸＹＺ値（Ｘｉ，Ｙｉ，Ｚｉ））に変換する。
【００４３】
続いて、Ｓ１０４では、ターゲットの環境光情報を用いて、処理対象画素の画素データ（ＸＹＺ値）を色の見え空間における値であるＣＩＥＣＡＭ０２値（Ｊｉ，Ｃａｉ，Ｃｂｉ）に変換する。
【００４４】
続いて、Ｓ１０５では、ターゲットの環境光情報及び観察環境の環境光情報の色空間上の位置関係に基づき、画像データの明度を補正する明度補正処理を行う。この明度補正処理の具体的な内容については後述するが（図４）、この処理により、ターゲット環境光の色温度に対する観察環境光の色温度が高いほど明度が高くなり、ターゲット環境光の色温度に対する観察環境光の色温度が低いほど明度が低くなるように、処理対象画素の画素データの明度が補正される。
【００４５】
続いて、Ｓ１０６では、処理対象画素の画素データが出力デバイス（複合機２の印刷部２７）の色域外であるか否かを判定する。
【００４６】
そして、Ｓ１０６で、出力デバイスの色域外であると判定した場合には、Ｓ１０７へ移行し、ガマットマッピングを行う。その後、Ｓ１０８へ移行する。なお、ガマットマッピングは公知の手法で行うことができる。
【００４７】
一方、Ｓ１０６で、出力デバイスの色域外でないと判定した場合には、そのままＳ１０８へ移行する。
【００４８】
Ｓ１０８では、観察環境の環境光情報を用いて、処理対象画素の画素データ（ＣＩＥＣＡＭ０２値）をＸＹＺ値（Ｘｏ，Ｙｏ，Ｚｏ）に変換する。ここで、ＸＹＺ値からＣＩＥＣＡＭ０２値への変換（Ｓ１０４）では、ターゲットの環境光情報を用いて色変換処理を行っていることから、ターゲット環境光の下での印刷画像の色が観察環境光の下で再現されるようにその印刷画像を表す画像データに対して環境光補正が行われることになる。
【００４９】
続いて、Ｓ１０９では、処理対象画素の画素データを、出力デバイスプロファイルを使用してＸＹＺ値からデバイスに依存する色空間の値であるＲＧＢ値（Ｒｏ，Ｇｏ，Ｂｏ）に変換する。
【００５０】
続いて、Ｓ１１０では、処理対象画素の画素データを、三次元ＬＵＴ（Ｌｏｏｋ−Ｕｐ−Ｔａｂｌｅ）を使用してＲＧＢ値からＣＭＹＫ値（Ｃｏ，Ｍｏ，Ｙｏ，Ｋｏ）に変換する。
【００５１】
続いて、Ｓ１１１では、画像データを構成するすべての画素についてＳ１０３〜Ｓ１１０の処理が終了したか否かを判定する。
【００５２】
そして、Ｓ１１１で、処理が終了していないと判定した場合には、Ｓ１０２へ戻り、未処理の画素のうちの１つを新たに処理対象画素として特定し、Ｓ１０３〜Ｓ１１０の処理を行う。
【００５３】
一方、Ｓ１１１で、処理が終了したと判定した場合には、Ｓ１１２へ移行し、画像データの表す画像を印刷する処理を行う。その後、本画像印刷処理を終了する。
【００５４】
次に、前述した画像印刷処理のＳ１０５で実行される明度補正処理について、図４のフローチャートを用いて説明する。
【００５５】
制御部２１は、この明度補正処理を開始すると、まずＳ２０１で、ターゲット環境光（Ｘｔ，Ｙｔ，Ｚｔ）及び観察環境光（Ｘｏ，Ｙｏ，Ｚｏ）の色空間（ＣＩＥ１９３１ｘｙ色度図）上における相対位置を計算する。具体的には、図５に示すように、ｘｙ色度図上における色温度３０００Ｋの光の位置Ｐ３０と色温度５０００Ｋの光の位置Ｐ５０とを結ぶ線分に対して、ターゲット環境光の位置Ｐｔ及び観察環境光の位置Ｐｏを写像した点（この例では線分に対して下ろした垂線と線分との交点）をそれぞれＰｔ’，Ｐｏ’とする。なお、Ｐ３０とＰ５０とを直線（線分）で結んでいるのは、黒体放射軌跡の一部は直線で近似できると考えられるからである。
【００５６】
ここで、クルーゾフ効果（図６）に基づき、色温度３０００Ｋの照明における最適な照度Ｖ（Ｐ３０）を３００ルクス、色温度５０００Ｋの照明における最適な照度Ｖ（Ｐ５０）を７５０ルクスと割り当て、ターゲット環境光及び観察環境光における最適な照度Ｖ（Ｐｔ），Ｖ（Ｐｏ）を求める。なお、最適な照度の設定値はここで例示している値に限定されるものではない。
【００５７】
具体的には、Ｐ３０とＰ５０との距離ｄを１と正規化し、Ｐ３０とＰｔ’との距離をｄｔ、Ｐ３０とＰｏ’との距離をｄｏとして、ターゲット環境光及び観察環境光における最適な照度Ｖ（Ｐｔ），Ｖ（Ｐｏ）を次の式（１）及び式（２）から求める。
【００５８】
【数１】
2010178149.tif 000003
つまり、式（１）及び式（２）は、一般的に使用される照明の色温度の環境下において、クルーゾフ効果を簡単化した式であり、Ｐｔ’及びＰｏ’の位置の補間値を求めることで、Ｐｔ及びＰｏにおける最適な照度がＶ（Ｐｔ）及びＶ（Ｐｏ）であると近似している。なお、クルーゾフ効果は快適、不快の境界があいまいな効果であるため、このように近似しても差し支えないと考えられる。
【００５９】
続いて、Ｓ２０２では、Ｓ２０１で算出したＶ（Ｐｔ），Ｖ（Ｐｏ）を用いて、Ｓ２０３のガンマ補正に用いるガンマ値を式（３）から求める。なお、式（３）は、「（γ補正後の積分値／γ補正前の積分値）＝（Ｐｏにおける最適な照度／Ｐｔにおける最適な照度）」を意味する式（４）から得られるものである。つまり、ターゲット環境光の色温度に最適な照度と観察環境光の色温度に最適な照度との比に応じて印刷画像の明るさを変化させるようなガンマ値を算出する。
【００６０】
【数２】
2010178149.tif 000004
続いて、Ｓ２０３では、Ｓ２０２で算出したガンマ値を用いて、処理対象画素の画素データ（Ｊｉ，Ｃａｉ，Ｃｂｉ）の明度の値（Ｊｉ）に対してガンマ補正を行い、補正後の明度Ｊｉ’を求める。その後、本明度補正処理を終了する。
【００６１】
このようにガンマ補正を行うことで、ターゲット環境光の色温度に対する観察環境光の色温度が高いほど明度が高くなり、ターゲット環境光の色温度に対する観察環境光の色温度が低いほど明度が低くなるように、画像データの明度が補正される。なお、明度のみを補正するようにしているため、色相の見え方は保持される。
【００６２】
［４．効果］
以上説明したように、本実施形態の複合機２は、ターゲット環境光の下での印刷画像の色が観察環境光の下で再現されるようにその印刷画像を表す画像データを補正する環境光補正を行う。加えて、この複合機２は、ターゲット環境光の色温度に対する観察環境光の色温度が高いほど印刷画像が明るくなり、ターゲット環境光の色温度に対する観察環境光の色温度が低いほど印刷画像が暗くなるように、印刷画像の明るさを調整するパラメータであるガンマ値を決定して画像データを補正する。具体的には、ターゲット環境光の色温度に最適な照度と観察環境光の色温度に最適な照度との比に応じて印刷画像の明るさを変化させるようにしており、ターゲット環境光の色温度よりも観察環境光の色温度が高い場合に印刷画像を明るくし、ターゲット環境光の色温度よりも観察環境光の色温度が低い場合に印刷画像を暗くする。
【００６３】
このため、本実施形態の複合機２によれば、観察する環境光の違いによって生じる印刷画像の色の見え方の違いを単に補正するだけでなく、クルーゾフ効果に従った適切な明るさに補正することができる。
【００６４】
［５．特許請求の範囲との対応］
なお、本実施形態では、複合機２が本発明の画像処理装置に相当し、Ｓ１０１の処理を実行する制御部２１が本発明の入力手段に相当し、Ｓ１０５の処理を実行する制御部２１が本発明の補正手段に相当する。
【００６５】
［６．他の形態］
以上、本発明の実施形態について説明したが、本発明は、上記実施形態に限定されることなく、種々の形態を採り得ることは言うまでもない。
【００６６】
［６−１．色空間］
上記実施形態では、ＲＧＢ値をＣＩＥＣＡＭ０２値に色変換した上でガマットマッピングを行うようにしているが、ガマットマッピングを行う色空間はＣＩＥＣＡＭ０２に限定されるものではなく、均等色空間であればよい。なお、均等色空間とは、人間が知覚する色差と空間内のユークリッド距離とがほぼ一致するように作成された色空間のことであり、例えばＣＩＥＬＡＢ空間やＣＩＥＬＵＶ空間などが知られている。
【００６７】
［６−２．画像印刷処理］
上記実施形態では、Ｓ１０１〜Ｓ１１２の処理順序で画像印刷処理を行う構成を例示したが、これに限定されるものではない。例えば、Ｓ１０３〜Ｓ１１０の処理を施す前の画素データと施した後の画素データとの対応関係をＬＵＴとしてあらかじめ作成しておけば、処理を簡略化することができる。
【００６８】
［６−３．画像データ］
上記実施形態では、ＲＧＢ表色系で表現された画像データが複合機２に入力される構成を例示したが、これに限定されるものではなく、他の表色系で表現された画像データが入力される構成であっても本発明を適用することができる。
【００６９】
また、画像データは、パーソナルコンピュータ１から送信されるものである必要はない。例えば、読取部２６で生成した画像データであってもよく、また、複合機２がメモリカード等の可搬型記憶媒体から直接画像データを読み込み可能に構成されている場合には、その画像データであってもよい。なお、複合機２にパーソナルコンピュータ１が接続されていなくても環境光補正の処理を可能とするため、ターゲットの環境光情報及び観察環境の環境光情報の設定を複合機２で行うようにしてもよい。
【００７０】
［６−４．環境光情報］
上記実施形態では、ターゲットの環境光情報及び観察環境の環境光情報をユーザに色温度又はＸＹＺ値で設定させるようにしているが、これに限定されるものではなく、例えば照明の種類（蛍光灯、白熱灯など）を設定させるようにしてもよい。このようにすれば、色温度を設定するよりも分かりやすくすることができる。
【００７１】
また、ターゲットの環境光情報及び観察環境の環境光情報はユーザに設定させることに限定されるものではなく、例えば、複合機２に環境光を測定するセンサを設け、その測定値に基づき自動的に設定するようにしてもよい。具体的には、例えばターゲットの環境光情報についてはセンサで測定し、観察環境の環境光情報についてはユーザに設定させるようにしてもよい。
【００７２】
また、ターゲットの環境光情報及び観察環境の環境光情報の両方を設定することに限定されるものではなく、例えば、観察環境の環境光情報を、ターゲットの環境光情報に対する相対値として設定するようにしてもよい。
【００７３】
［６−５．印刷部］
上記実施形態では、ＣＭＹＫの４色のインクを用いて画像を印刷するインクジェット方式の印刷部２７を例に挙げて説明したが、これに限定されるものではなく、例えばより多くの色のインクを用いる構成とすることも可能である。また、色材はインクに限定されるものではなく、例えば複数色のトナーを用いて画像を形成するレーザ転写方式であってもよい。
【００７４】
［６−６．画像処理装置］
上記実施形態では、本発明の画像処理装置として複合機２を例示したが、これに限定されるものではなく、スキャナ機能等を有しない印刷装置であってもよい。また、印刷装置に限定されるものではなく、例えばパーソナルコンピュータ１を本発明の画像処理装置として機能させることも可能である。この場合、例えばＳ１０１〜Ｓ１１１の処理をパーソナルコンピュータ１においてプリンタドライバ１２３の機能として実行し、処理後の画像データを複合機２へ送信して印刷させるようにすることができる。
【符号の説明】
【００７５】
１…パーソナルコンピュータ、２…複合機、１１…制御部、１２…記憶部、１３…通信部、１４…操作部、１５…表示部、２１…制御部、２２…記憶部、２３…通信部、２４…操作部、２５…表示部、２６…読取部、２７…印刷部
【図１】
2010178149.tif 000005
【図３】
2010178149.tif 000006
【図４】
2010178149.tif 000007
【図５】
2010178149.tif 000008
【図６】
2010178149.tif 000009
【図２】
2010178149.tif 000010